(57)【特許請求の範囲】
【請求項１】
車両のドアパネル内に配置され窓ガラスを開閉するためのウィンドウレギュレータであって、ワイヤを往復駆動するワイヤドラムとワイヤの経路を転回させるワイヤガイド及びこれらに掛け回されるワイヤを備え、
前記ワイヤガイドの少なくとも一つがワイヤ張力増強装置に組み込まれており、
ワイヤ張力増強装置において、前記のワイヤガイドは、周面にワイヤが巻回される平板形状であり、平面に対して直交する方向の取付け軸と回転された位置を前記レギュレータの固定部分との間で維持する係止部を有し、前記ワイヤガイドに巻回されるワイヤの経路長が前記取付け軸を中心とした前記ワイヤガイドの回転によって回転の前よりも回転の後の方が長くなる形状とされていることを特徴としたウィンドウレギュレータ。
【請求項２】
前記ワイヤガイドの周面が前記取付け軸を中心にして４つの象限に分けられ、各象限における周面の長さが異なることを特徴とした請求項１に記載のウィンドウレギュレータ。
【請求項３】
前記ワイヤガイドの平板形状が左右で対称であると共に上下でも対称であり、前記の取付け軸が平板形状の左右方向中心線と上下方向中心線の交点を外れた偏心位置にあることにより、前記ワイヤガイドの回転によって回転の前よりも回転の後の方が長くなることを特徴とした請求項１に記載のウィンドウレギュレータ。
【請求項４】
前記取付け軸がドアパネルの内パネルと、内パネルに回転不可能に配置されたブラケットとの間に架設され、前記内パネルと前記ブラケットの間に前記のワイヤガイドが配置されており、これらの内パネルとワイヤガイド間あるいはワイヤガイドとブラケット間に前記取付け軸方向の押圧で取付け軸周りの回転を生じる傾斜カム面を有することを特徴とした請求項１〜３のいずれか一つに記載のウィンドウレギュレータ。
【請求項５】
前記取付け軸は、前記ブラケットに頭部が回転止めされたボルトであって、前記ワイヤガイドと前記内パネルを貫通させ、内パネルの内面でナットにより固定されており、ナットの締め付けにより前記のブラケットが前記ワイヤガイドと共に内パネル側に引き寄せられていることを特徴とした請求項４に記載のウィンドウレギュレータ。
【請求項６】
前記ブラケットは前記ワイヤガイドの上を横切って内パネルを貫通するワイヤ押えを有し、ワイヤ押えによって内パネルに回転不可能に配置されていることを特徴とした請求項４に記載のウィンドウレギュレータ。
【請求項７】
前記ワイヤガイドに前記取付け軸を中心とする円弧状の位置決め孔を形成し、前記ブラケットに、前記取付け軸と平行に内パネル側へ突出し、位置決め孔へ挿通されて前記ワイヤガイドの回転開始位置を定める位置決め突片を設けてあることを特徴とした請求項４に記載のウィンドウレギュレータ。
【請求項８】
前記位置決め突片は回転開始位置にある前記ワイヤガイドの内パネル側に達する長さを有し、先端に前記ワイヤガイドの内パネル側面に係合する先端張り出し部を有することを特徴とした請求項７に記載のウィンドウレギュレータ。
【請求項９】
前記の位置決め突片は回転開始位置にある前記ワイヤガイドの外パネル側面に相当する位置に前記の取付け軸を中心とした円の半径方向に突出した中間張り出し部を有し、前記ワイヤガイドにおける前記位置決め孔は前記ワイヤガイドの回転開始位置となる側に係合凹部を有し、前記ワイヤガイドが回転開始位置にあるとき、前記の中間張り出し部が前記位置決め孔の係合凹部に嵌合することを特徴とした請求項７に記載のウィンドウレギュレータ。
【請求項１０】
前記のボルトはこれに嵌挿されるカラーを備え、カラーは前記ブラケット側の外周面に備えた回り止め凸部をブラケットに形成したカラー用凹部に係合させて回り止めされると共に、カラーのブラケット側端面にボルトの頭部が嵌入してボルトが回り止めされるボルト用凹部を備えていることを特徴とした請求項５に記載のウィンドウレギュレータ。
【発明の詳細な説明】
【技術分野】
【０００１】
本発明は、車両用の窓において窓ガラスを開閉するために使用するワイヤドラム式のウィンドウレギュレータに関する。
【背景技術】
【０００２】
ワイヤドラム式のウィンドウレギュレータは、ドアパネルの内部に配置したワイヤドラムとワイヤガイドの間にワイヤを掛け渡し、ワイヤに取り付けたガラス支持部材（キャリア）により窓ガラスを支持した構造であり、駆動回転されるワイヤドラムによってワイヤを往復移動させ、窓ガラスを開閉するのが一般的である。
このようなウィンドウレギュレータでは、ワイヤの張力が十分でないと、昇降時に窓ガラスに上下方向のガタつき（ジャダー）が発生する。特に、ガラス支持部材をガイドするレールの無い、所謂レールレスタイプのものは、部材をドアパネル内へ組み付けながらレギュレータとして完成させていくので、あらかじめワイヤに張力を加えてからドアパネルに組み込むことが難しく、十分な張力を付与するのが困難である。加えて、ガイドレールを備えないので、ガラス支持部材がガイドレールに案内されるものに比べてガラス支持部材の動きが不安定になりやすい。このため、始動時だけでなく、昇降の途中でもジャダーが発生しやすい。
レールレスタイプのウィンドウレギュレータでこのようなジャダーを抑制するには、ワイヤを一旦、配索した後、ワイヤの張力を増強する必要がある。
【０００３】
従来、ワイヤを一旦、配索した後ワイヤの張力を調整する手段を有するウィンドウレギュレータが種々提案されている。
特許文献１には、両側のワイヤ（４１，４２）のワイヤエンド（５２）をそれぞれスプリング（５７）を介してハウジング（５０）へスライド可能に装着しておき、前記両側のワイヤエンド間にストッパ手段（１０１）を介在させてコイルばねを両側へ圧縮することでワイヤを弛ませ、配索後にストッパ手段（１０１）を撤去してワイヤの弛みを取ると共にスプリングの弾力でワイヤに張力を付与する構成が記載されている。
特許文献２には、ワイヤドラム（８）の接線方向に延びるワイヤ（５，６）に対してねじりコイルばね（１２）で横向きの弾力変形を与える２本のアーム部（１３，１４）を設けたウィンドウレギュレータ用ワイヤの弛み吸収機構が記載されている。なお、図１０，１１には従来例として偏心ローラ（８１，８２）を回転可能に軸支し、これをねじりコイルばね（８５，８６）の弾力でワイヤの弛みを吸収する方向に付勢した構成が記載されているが、弛みの防止であってワイヤ張力の増強ではない。
【０００４】
特許文献３には、第１、第２のアッパガイド部材（８１），（９１）と第１、第２のロアガイド部材（８３），（９３）からなる４個のガイド部材にワイヤ（７１）を掛け回すウィンドウレギュレータにおいて、第１ロアガイド部材（８３）がワイヤ（７１）に張力を与える方向に移動することを許容し、第１ロアガイド部材（８３）が回転することを禁止する回転止め手段と、第１ロアガイド部材（８３）には、ワイヤ（７１）に張力を与える方向に沿って形成され、ねじ締結力が作用すると、ワイヤ（７１）に張力を与える方向に第１ロアガイド部材（８３）を移動させる力が発生する斜面（８３ｃ）を備えたウィンドウレギュレータが記載されている。このレギュレータでは、前記４個のガイド部材に一旦ワイヤ（７１）を掛け回わして弛みを除去したのち、前記第１ロアガイド部材（８３）を前記斜面（８３ｃ）に沿ってスライド移動させ、ワイヤ（７１）の張力を増強している。
【先行技術文献】
【特許文献】
【０００５】
【特許文献１】特開２０１２-５７４２５号公報
【特許文献２】特開平３-１７２４８８号公報
【特許文献３】特開２０１２-２３７１２２号公報
【発明の概要】
【発明が解決しようとする課題】
【０００６】
特許文献１の技術は配索を容易にするためにストッパ手段を用いてワイヤを一旦弛ませて配索し、配索後ワイヤをスプリングのような付勢手段で緊張させてワイヤに張力を付与する技術であるが、スプリングの弾力は配索されたワイヤの弛みを解消できる程度と考えられ、前記のジャダー現象を抑制することまで考慮されているとは考えられない。
特許文献２の技術は、ウィンドウレギュレータ用ワイヤに張力を付与するためのものであるが、やはり、ワイヤの弛みを吸収する程度でしかない。また、部品数が多くなり、取り付け作業にも手間がかかる。
【０００７】
特許文献３のウィンドウレギュレータは、第１ロアガイド部材（８３）を斜面（８３ｃ）を利用してスライド移動させ、ワイヤ（７１）の張力を増強している。しかし、これは第１ロアガイド部材（８３）を第１アッパガイド部材（８１）との軸線方向で直線的に移動させるもので、第１ロアガイド部材（８３）の両側となる２本のワイヤ、すなわち、第１アッパガイド部材（８１）へ向かうワイヤと第２アッパガイド部材（９１）からくるワイヤ（第１ロアガイド部材を転回する一本のワイヤ）を前記軸線方向へ直接に牽引しなければならないので、移動させるために大きな力が必要である。
本発明が解決しようとする課題は、ワイヤドラム式のウィンドウレギュレータにおいて配索の当初は緩みを持って楽に配索し、ついで、緩みを除去した後、ワイヤの張力を容易、且つ確実に増強することができるウィンドウレギュレータの提供である。
【課題を解決するための手段】
【０００８】
ワイヤを往復駆動するワイヤドラムとワイヤ経路を転回させるワイヤガイド及びこれらに掛け回されるワイヤを備えた車両のウィンドウレギュレータにおいて、次の技術思想を採用する。
ワイヤガイドの少なくとも１個をワイヤ張力増強装置に組み込み、前記ワイヤガイドは周面にワイヤが巻回される平板形状とし、その平面に対して直交する方向の取付け軸と、回転された位置を前記レギュレータの固定部分との間で維持する係止部を有したものとする。
そして、前記ワイヤガイドは、これに巻回されるワイヤの経路長が前記取付け軸を中心とした前記ワイヤガイドの回転によって回転の前よりも回転の後の方が長くなる形状とする。
【０００９】
例えば、前記ワイヤガイドの周面を前記取付け軸を中心にして４つの象限に分け、各象限における周面の長さを異ならせる。あるいは、前記ワイヤガイドの平板形状が円のように、左右で対称であると共に上下でも対称であるような場合には、前記の取付け軸を平板形状の偏心位置に配置するなどにより、ワイヤガイドが回転される前よりも回転された後のワイヤ経路長を長くできる。
【００１０】
また、前記ワイヤガイドを回転させるには、ワイヤ張力増強装置において、取付け軸をドアパネルの内パネルと、内パネルに回転不可能に配置されたブラケットとの間に架設し、前記内パネルと前記ブラケットの間に前記のワイヤガイドを配置して、これらの内パネルとワイヤガイド間あるいはワイヤガイドとブラケット間に前記取付け軸方向の押圧で取付け軸周りの回転を生じる傾斜カム面を設ける。押圧力は例えば、取付け軸のナットを締め付けて、内パネルへワイヤガイドとブラケットを引き寄せることで得られる。
手段の付加的な構成については実施例において説明する。
【発明の効果】
【００１１】
本発明によれば、ワイヤ張力増強装置において、ワイヤガイドを回転軸を中心に回転可能で回転後にその位置で係止固定できる構造とし、さらに、ワイヤガイドを回転の前よりも回転の後の方でワイヤ経路長（ワイヤドラムとワイヤガイド間に掛けまわされるワイヤ経路を構成するワイヤの長さ）が長くなる形態としているので、ワイヤガイドを回転軸を中心に回転させ係止させるだけで、弛みを吸収させたワイヤの張力を増強することができる。そして、ワイヤガイドの回転によりワイヤ張力を増強するので、ワイヤガイドを直線状に移動させるものに比べて、ワイヤの張力を増強する作業を行いやすい。
【図面の簡単な説明】
【００１２】
【図１】本発明の理論を説明する図であり、（イ）はワイヤガイドの形状を示し、（ロ）はワイヤガイド回転前の状態、（ハ）はワイヤガイド回転後の状態を示す。
【図２】実施例のウィンドウレギュレータを室内側から見た概略図。
【図３】ワイヤ張力増強装置の分解斜視図。
【図４】ワイヤ張力増強装置におけるワイヤガイドの斜視図。
【図５】ワイヤ張力増強装置におけるワイヤガイドの室外側から見た正面図。
【図６】ワイヤ張力増強装置におけるワイヤガイドの側面図。
【図７】ワイヤ張力増強装置におけるブラケットの斜視図。
【図８】ワイヤ張力増強装置におけるブラケットの室内側から見た正面図。
【図９】ワイヤ張力増強装置におけるブラケットの側面図。
【図１０】ワイヤ張力増強装置の斜視図。
【図１１】（イ）は、ワイヤ張力増強装置を内パネルに取り付け、固定する前の状態を示した室外側からの斜視図、（ロ）はボルトの頭部とカラーの大径部との嵌り合い構造を示す斜視図。
【図１２】ワイヤ張力増強装置を内パネルに取り付け、固定した状態を示した室外側からの斜視図。
【図１３】ワイヤ張力増強装置を内パネルに取り付け、固定する前の状態を示した室内側からの斜視図。
【図１４】ワイヤ張力増強装置を内パネルに取り付け、固定した状態を示した室内側からの斜視図。
【図１５】ワイヤ張力増強装置におけるワイヤガイド及びブラケットを示し、（イ）は室外側からブラケットの正面図、（ロ）は前記図イのＡ−Ａ箇所におけるブラケットの回転開始位置での矢視方向断面図、（ハ）は前記図イのＡ−Ａ箇所におけるブラケットの回転完了位置での矢視方向断面図。
【発明を実施するための形態】
【００１３】
以下、本発明の実施例を図面に基づいて詳細に説明する。
〔全体構成〕
ウィンドウレギュレータ１（図２）は、車両のドアパネル２（内パネル２ａと外パネル２ｂからなり両パネル間に空間を有する）の内部に設置されている。ウィンドウレギュレータ１は、ワイヤ張力増強装置３、ガラス支持部材４、ワイヤ５、ベースプレート６、ワイヤドラム７及び駆動装置８を備える。
ワイヤ張力増強装置３とベースプレート６は内パネル２ａに固定される装置と部材であり、ドアパネル２の内部で上下に間隔を取って配置されている。ベースプレート６には前記のワイヤドラム７及び駆動装置８が取り付けられている。
【００１４】
ワイヤ張力増強装置３（図３）は、この実施例において、ワイヤガイド９とブラケット１０、ボルト１１、カラー１２及びナット１３（フランジ付きナット）から構成されている。ワイヤガイド９とブラケット１０は、内パネル２ａとブラケット１０の間にワイヤガイド９を挟んで、車内外方向の外側（以下、単に外側）からこれらと内パネル２ａを貫通するカラー１２とボルト１１及び内パネル２ａの車内外方向の内側（以下、単に内側）から螺合されるナット１３によって固定され、取り付けられる。ボルト１１とカラー１２は取付け軸１４であり、ワイヤガイド９が回転するときの回転軸となる。
【００１５】
そして、前記ワイヤガイド９と前記のワイヤドラム７との間に、レールレス方式でワイヤ５が掛けまわされ、ワイヤ経路が構成されている。この実施例において、ワイヤ経路はワイヤガイド９とワイヤドラム７間で隣り合った２本の背反した方向に移動するワイヤ５となっている。そして、前記背反して移動する箇所の一方のワイヤ５に、ガラス支持部材４が取り付けられている。
したがって、駆動装置８がワイヤドラム７を駆動回転すると、ガラス支持部材４に支持された窓ガラスが上下に移動し、車両の窓が開閉される。
【００１６】
〔ワイヤ張力増強装置〕
ワイヤ張力増強装置３は、前記のように、ワイヤガイド９とブラケット１０、ボルト１１、カラー１２及びナット１３（図３）を備える。
ワイヤガイド９は、プーリー型であり前記の取付け軸１４を軸として設定された範囲を回転することができる。そして、ワイヤガイド９は、周面にワイヤ５が巻回される平板形状であり、平面に対して直交する方向の取付け軸１４と、回転された位置をブラケット１０の間で維持する係止部１５を有する。ブラケット１０は、内パネル２ａへ一体に組み付けられる部材であり、ウィンドウレギュレータ１の固定部分となる。
【００１７】
ワイヤガイド９の外形（周面が作る形状）は、ワイヤガイド９に巻回されるワイヤ５のワイヤ経路長が、前記取付け軸１４を中心としたワイヤガイド９の回転によって回転の前よりも回転の後の方が長くなる形状とされている。
すなわち、この実施例におけるワイヤガイド９の平板形状は、周面に関して、図５に示すように、上半分が円（半円）、下半分が楕円（半楕円）であり、円の直径と楕円の短径を一致させてある（図１イ）。このため、ワイヤガイド９の周面は滑らかに繋がって一周する曲面となっている。この周面には、ワイヤ５を係合するためのガイド溝１６が形成されている（図６）。
【００１８】
したがって、取付け軸１４を回転中心としたワイヤガイド９の平面形状を図１（イ）に示すように、第Ｉから第ＩＶ象限に区画すると、図１（ロ）の状態から図１（ハ）の状態へ右回りに９０度回転されたとき、ワイヤガイド９に巻回されるワイヤのワイヤ長は、巻回されている部分について、第Ｉ象限と第ＩＩ象限に巻回されていたものが、第ＩＩ象限と第ＩＩＩ象限に巻回されたものとなり、円周よりも長い楕円周との差によってワイヤ経路長が長くなる。これによって、ワイヤガイド間とワイヤドラム間に弛みなく張設されていたワイヤ５に張力が増強される。
【００１９】
図１（イ）のように、長径の１／２がａ、短径の１／２がｂの楕円の周長Ｄは、おおよそ次の数式で求めることができる。
【００２０】
【数１】
0005622891.tif 000002
【００２１】
そして、窓ガラスのジャダーを抑制するのに、ワイヤ５の張力を６０Ｎ以上増強する必要があるとき、ワイヤ５の伸びが３０Ｎ/ｍｍであるとするとワイヤガイド９とワイヤドラム７の間にワイヤ５をほとんど弛みの無い状態で張設してからワイヤガイド９の側において、ワイヤガイド９とワイヤドラム７間のワイヤを２ｍｍ以上伸びるよう引っ張ればよい。
一方、半径ｂの円の円周ＣはＣ＝２πｂであるから、これと前記の数式とから、短径の１／２及び半径がｂの時、Ｄ≧Ｃ＋１６ｍｍとなるａの値を求めればよい。
そこで、ｂ＝２０とすると、ａ≒２５となる。
即ち、ワイヤガイド９を、半径２０ｍｍの円の半分と、長径の１／２が２５ｍｍ、短径の１／２が２０ｍｍの楕円の半分を接続した形状とし、図１の（ロ）に示すように半円部分の周縁にワイヤ５を掛けてから、図１の（ハ）に示すようにワイヤガイド９を９０度回転させれば、ワイヤ経路をワイヤドラム７とワイヤガイド間で約２ｍｍ引っ張ることになり、ワイヤ経路長は４ｍｍ長くなる。
【００２２】
ワイヤガイド９は前記の平面形状に加え、この実施例においてワイヤガイド側軸用貫通孔１７、位置決め孔１８、円弧状溝１９及び前記の係止部１５を有する（図５）。ワイヤガイド側軸用貫通孔１７と位置決め孔１８は、ワイヤガイド９の平面と直交する方向に貫通した孔であり、ワイヤガイド側軸用貫通孔１７はワイヤガイド９のほぼ中央に、位置決め孔１８はワイヤガイド側軸用貫通孔１７に近接し、この孔１７を中心にして約９０°の角度に渡る円弧状の孔である。円弧状の位置決め孔１８の図４において右端はワイヤガイド９が張力増強のために回転されるときの回転開始端（ｓ）、左端はその回転完了端（ｆ）である。
【００２３】
円弧状溝１９は、ワイヤガイド９の外側面に形成された前記のワイヤガイド側軸用貫通孔１７を中心とした円弧状の溝で溝底がワイヤガイド９の回転方向の一側（回転完了端ｆ側）へ、前記平板の平面に対して約３０度の角度で低くなるワイヤガイド側傾斜面２０となっている（図４）。この円弧状溝１９はワイヤガイド側軸用貫通孔１７を中心として約９０°に渡るもので、前記の円弧状をした位置決め孔１８とワイヤガイド側軸用貫通孔１７を中心に角度上でほぼ同じ範囲に形成されている。ただし、ワイヤガイド側軸用貫通孔１７からの半径上の距離は円弧状溝１９の方が大きく、半径上の距離が違っているので、ブラケット１０にワイヤガイド９を組み合わせるとき、テーパー突起２４や位置決め突片２３がこれらに間違って嵌め込まれてしまう不都合が生じないようにしてある。
係止部１５はこの実施例において線状の溝となっている。
【００２４】
ブラケット１０は、ワイヤガイド９よりやや大きい円形に形成され、ワイヤ押え２１、ブラケット側軸用貫通孔２２、位置決め突片２３、テーパー突起２４及び切起こし部２５を備えている（図３、図７〜図９）。
ワイヤ押え２１は、ブラケット１０の上端から内パネル２ａ側へ延びて先端部が内パネル２ａを貫通する長さとされている（図１１）。ブラケット側軸用貫通孔２２はワイヤガイド９のワイヤガイド側軸用貫通孔１７と同様にブラケット１０の面に対して直交する方向に形成されている。位置決め突片２３は、ワイヤガイド９の前記位置決め孔１８と対応した位置に形成されており、内パネル２ａの方向へブラケット１０の面と直交する方向に突出している。位置決め用突片２３は、前記のワイヤ押え２１とほぼ同じ長さを有する（図９）。
【００２５】
テーパー突起２４は、ワイヤガイド９の前記円弧状溝１９と対応した位置にブラケット１０の内側面から内パネル２ａの方向へ円弧に沿って突出しており、その先端面は、ワイヤガイド９の回転方向の一側（円弧状溝１９の一側と同じ側、回転完了端ｆ側）へ約３０度の角度で高くなるブラケット側傾斜面２６となっている（図９）。切起し部２５は、ワイヤガイド９の前記係止部１５に対応して形成され、係止部１５の溝に嵌合してワイヤガイド９の回転を阻止するものである。
なお、この実施例において、前記のカラー１２は外側の端部が大径部２７とされ、その外端面にボルト１１の頭部を嵌入させるボルト用凹部２８を有している。また、前記の大径部２７の外周面にはキー凸条２９を有する。そして、この大径部２７に対応してブラケット１０の外側面にはブラケット側軸用貫通孔２２の周りに環状の段差凹部３０が形成されるとともにその内周面に前記のキー凸条２９が嵌入するキー溝３１が形成されている（図７）。
【００２６】
さらに、前記の位置決め突片２３は、外周面側の先端に外周側へ突出した先端張り出し部３２と中間張り出し部３３を備えている。先端張り出し部３２と中間張り出し部３３の間隔は前記のワイヤガイド９の厚さ寸法よりも僅かに小さく、中間張り出し部３３とブラケット１０の内側面との間はワイヤガイド９の厚さ寸法にほぼ等しい。そして、ワイヤガイド９の外側面であって位置決め孔１８の回転開始側端部には前記の中間張り出し部３３が嵌り込む係合凹部３４が形成されている。
【００２７】
〔組立〕
まず、ワイヤ張力増強装置３の各部品を次のように組み付ける。
ブラケット１０のブラケット側軸用貫通孔２２にカラー１２を圧入して挿通する。カラー１２の大径部２７はブラケット１０の段差凹部３０（図７）に嵌合し、同時に、カラー１２のキー凸条２９がブラケット１０側のキー溝３１に嵌合する。
ついで、カラー１２をワイヤガイド９のワイヤガイド側軸用貫通孔１７へ回転可能に挿通し、ブラケット１０にワイヤガイド９を組み付ける。このとき、ブラケットのワイヤ押え２１、テーパー突起２４及び位置決め突片２３は内パネル２ａ側へ突出した向きとし、ワイヤガイド９の円弧状溝１９はブラケット１０の内面と対向する配置とする。すなわち、ワイヤガイド９とブラケット１０は、ワイヤガイド９の位置決め孔１８にブラケット１０の位置決め突片２３が挿通し、ブラケット１０のテーパー突起２４の先端がワイヤガイド９の円弧状溝１９の回転開始端（ｓ）に接した状態で対向した状態とされる。
テーパー突起２４の先端が円弧状溝１９の回転開始端（ｓ）となる配置は、ブラケット１０の位置決め突片２３に対してワイヤガイド９の位置決め孔１８の回転開始端（ｓ）を当接させることで簡単に位置決めすることができる。
また、位置決め突片２３はワイヤガイド９の位置決め孔１８へ先端側がわずかにたわみながら挿通され、先端に設けた先端張り出し部３２が位置決め孔１８を内側へ抜けたときにたわみが戻ってワイヤガイド９の内側面に係合する。同時に、中間張り出し部３３がワイヤガイド９の外側面に設けた係合凹部３４に嵌合する。
そして、カラー１２にボルト１１を挿通してボルトの頭部をカラー１２の大径部２７に設けたボルト用凹部２８に圧入する。
【００２８】
このように組み付けられたワイヤ張力増強装置３は、前記のように、ブラケット１０とカラー１２が圧入によって一体とされ、カラー１２に挿通されたワイヤガイド９がブラケット１０の位置決め突片２３の先端張り出し部３２及び中間張り出し部３３と係合することでブラケット１０と結合されており、さらに、ボルト１１がカラー１２のボルト用凹部２８に圧入されているので、これらの部品は一体に組み付けられた状態となる。このため、ワイヤ張力増強装置３を取り扱っている間にボルト１１やカラー１２、あるいはワイヤガイド９などの部品がブラケット１０から脱落してしまう恐れがない。
【００２９】
〔取り付け〕
ワイヤ張力増強装置３は、前記のように、ガラス支持部材４、ワイヤ５、ベースプレート６、ワイヤドラム７及び駆動装置８をと共にレギュレータアッセンブリにまとめられ、車両組み立て工場に納入される。車両組み立て工場において本願のワイヤ張力増強装置３は、車両のドアパネル２（内パネル２ａ）へ取り付けられる。
内パネル２ａにはボルト１１の先端が貫通するボルト用貫通孔３５とワイヤ押え２１の先端が貫通するワイヤ押え用貫通孔３６及び位置決め突片用貫通孔３７が形成されており、これらにそれぞれボルト１１とワイヤ押え２１及び位置決め突片２３を貫通させ、ついでボルト１１の先端にナット１３を螺合する。そして、ワイヤ５の弛みを解消してから、ナット１３を締めこむ。この作業はボルトの頭部がボルト用凹部２８に嵌って回り止めされているので、共回りによる煩わしさがない。つまり、車両組み立て工場では、レギュレータアセンブリをドアパネル２の空間に取付け、内側から内パネル２ａに向けてワイヤ張力増強装置３のナット１３を締め付ける。
【００３０】
すると、ブラケット１０はワイヤ押え２１をガイドとして、また、これに回転を阻止されながら、内パネル２ａ側へ引寄せられ、テーパー突起２４がワイヤガイド９の円弧状溝１９に嵌入し、圧入される。すると、円弧状溝１９のワイヤガイド側傾斜面２０とテーパー突起２４のブラケット側傾斜面２６は、傾斜カム面を構成し、また、ブラケット１０の回転がワイヤ押え２１とワイヤ押え用貫通孔３６との係合によって阻止されているので、ワイヤガイド９が回転する（図１５イ〜ハ）。すなわち、傾斜カム面は取付け軸１４方向に押圧されると、取付け軸１４周りにワイヤガイド９の回転を生じる。
ナット１３をさらに締め込むと、ワイヤガイド９は９０°回転して円弧状溝１９の回転完了端ｆがテーパー突起２４に当接して回転が止まる（図１１、図１２）。
【００３１】
そして、ワイヤガイド９外面の係止部１５がブラケット１０の内面に形成された切起こし部２５に係合してその位置に固定される。
このとき、ワイヤガイド９が９０°回転することで、前記第Ｉ象限、第ＩＩ象限に巻回されているワイヤ５は、第ＩＩ象限と第ＩＩＩ象限に巻回されることになり、ワイヤ経路長が長くなり、弛みが解消されているワイヤ５の張力が増強される。その程度は実施例において約６０Ｎである。
【００３２】
以上に説明した実施例の構造であると、ナット１３を締め付けるという簡単な操作でワイヤガイド９を簡単に回転させることができる。また、ワイヤ張力の増強は、取付け軸１４を中心としたワイヤガイド９に関するモーメントの大きさで行うので操作が軽く、滑らかである。
【００３３】
以上、レールレスのワイヤドラム式のウィンドウレギュレータ１に関して実施例を説明したが、本発明は、ガイドレールを利用するワイヤドラム式ウィンドウレギュレータにも適用することができる。
ワイヤガイド９の平板形状として半円、半楕円の組み合わせを例として説明したが、回転によってワイヤ経路長を増加できるものであればこれに限らない。
傾斜カム面の傾斜角度は押圧によってワイヤガイド９を回転できる角度であれば３０°に限定されない。また、ワイヤガイド９の回転範囲は９０°に限らず、必要な張力の増強が得られる範囲であればよい。なお、ワイヤガイドは回転完了位置で回転を固定される必要がある。
傾斜カム面の構造はワイヤガイド９とブラケット１０間に複数個所設けても良い。また、いずれの側が円弧状溝１９あるいはテーパー突起２４であってよい。
取付け軸１４は、ワイヤガイド９を支持し回転を許容できるものであれば良い。
カラー１２や位置決め突片２３は必ず必要というものではない。
【符号の説明】
【００３４】
１    ウィンドウレギュレータ
２    ドアパネル
２ａ  内パネル
２ｂ  外パネル
３    ワイヤ張力増強装置
４    ガラス支持部材
５    ワイヤ
６    ベースプレート
７    ワイヤドラム
８    駆動装置
９    ワイヤガイド
１０  ブラケット
１１  ボルト
１２  カラー
１３  ナット
１４  取付け軸
１５  係止部
１６  ガイド溝
１７  ワイヤガイド側軸用貫通孔
１８  位置決め孔
１９  円弧状溝
２０  ワイヤガイド側傾斜面
２１  ワイヤ押え
２２  ブラケット側軸用貫通孔
２３  位置決め突片
２４  テーパー突起
２５  切起こし部
２６  ブラケット側傾斜面
２７  大径部
２８  ボルト用凹部
２９  キー凸条
３０  段差凹部
３１  キー溝
３２  先端張り出し部
３３  中間張り出し部
３４  係合凹部
３５  ボルト用貫通孔
３６  ワイヤ押え用貫通孔
３７  位置決め突片用貫通孔
【要約】
【課題】ワイヤドラム式のウィンドウレギュレータにおいて緩みを持って楽に配索し、ついで、緩みを除去した後ワイヤの張力を容易に且つ確実に増強することができるウィンドウレギュレータの提供である。
【解決手段】ワイヤを往復駆動するワイヤドラムとワイヤ経路を転回させるワイヤガイド及びこれらに掛け回されるワイヤを備えた車両のウィンドウレギュレータであり、
ワイヤガイドの少なくとも１個は周面にワイヤが巻回される平板形状とし、その平面に対して直交する方向の取付け軸と、回転された位置を前記レギュレータの固定部分との間で維持する係止部を備える。前記ワイヤガイドは、これに巻回されるワイヤの経路長が前記取付け軸を中心とした前記ワイヤガイドの回転によって回転の前よりも回転の後の方が長くなる形状とする。
【選択図】図３【図１】
0005622891.tif 000003
【図２】
0005622891.tif 000004
【図３】
0005622891.tif 000005
【図４】
0005622891.tif 000006
【図５】
0005622891.tif 000007
【図６】
0005622891.tif 000008
【図７】
0005622891.tif 000009
【図８】
0005622891.tif 000010
【図９】
0005622891.tif 000011
【図１０】
0005622891.tif 000012
【図１１】
0005622891.tif 000013
【図１２】
0005622891.tif 000014
【図１３】
0005622891.tif 000015
【図１４】
0005622891.tif 000016
【図１５】
0005622891.tif 000017